【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
放送時間と放送チャンネルとの組み合わせ毎に、有効文字適用ルールを示す適用ルール情報、並びに、番組タイトルにおける、区間を示す予め定められた記号の配置位置を示す番組構造種別と前記有効文字適用ルールとの組み合わせ毎に、番組タイトルにおいて、有効な文字が配置されている位置である有効文字位置を示す有効文字判定情報、を含む修正ルールと、予約された番組の番組タイトル、放送日時及び放送チャンネルを含む予約番組情報と、を記憶する記憶部と、
デジタル放送波を受信して、当該デジタル放送波からストリームを生成し、当該ストリームに対して予め定められた処理を行うとともに、当該ストリームから、放送される番組の番組タイトル、放送日時及び放送チャンネルを含む番組情報を取得するストリーム処理部と、
前記予約番組情報に含まれている番組タイトル及び前記番組情報に含まれている番組タイトルのそれぞれにおいて、前記番組構造種別を特定する構造判定部と、
前記適用ルール情報を参照して、前記予約番組情報に含まれている放送日時により示される放送時間と、前記予約番組情報に含まれている放送チャンネルとの組み合わせ、及び、前記番組情報に含まれている放送日時により示される放送時間と、前記番組情報に含まれている放送チャンネルとの組み合わせのそれぞれに対応する有効文字適用ルールを特定する処理、
前記有効文字判定情報を参照して、前記予約番組情報に含まれている番組タイトルの番組構造種別と、前記予約番組情報に対応して特定された有効文字適用ルールとの組み合わせ、並びに、前記番組情報に含まれている番組タイトルの番組構造種別と、前記番組情報に対応して特定された有効文字適用ルールとの組み合わせのそれぞれに対応する有効文字位置を特定する処理、並びに、
前記予約番組情報で示される番組タイトルに含まれている文字から、前記予約番組情報に対応して特定された有効文字位置以外の文字を除外して、修正予約番組タイトルを生成するとともに、前記番組情報で示される番組タイトルに含まれている文字から、前記番組情報に対応して特定された有効文字位置以外の文字を除外して、修正放送番組タイトルを生成する処理、を行う修正部と、
前記修正予約番組タイトルと、前記修正放送番組タイトルとの比較結果により、前記予約された番組と、前記放送される番組との一致度合いが高いほど高い値を示す番組類似指数を算出する類似度判定部と、
前記放送される番組の内、前記番組類似指数が最も高い番組を、前記予約された番組と一致する番組として特定し、前記ストリーム処理部に特定された番組のストリームに対して前記予め定められた処理を行わせる全体制御部と、を備えること
を特徴とする番組予約装置。
【請求項２】
前記有効文字判定情報は、前記番組構造種別と、前記有効文字適用ルールとの組み合わせ毎に、番組タイトルの内、前記区間に対応する位置及び前記区間以外の位置の少なくとも何れか一方を有効文字位置とするものであること
を特徴とする請求項１に記載の番組予約装置。
【請求項３】
前記修正ルールは、特定の文字を示す除外文字情報をさらに含み、
前記修正部は、
前記修正予約番組タイトルに前記特定の文字が含まれている場合には、前記修正予約番組タイトルから、前記特定の文字を除外し、
前記修正放送番組タイトルに前記特定の文字が含まれている場合には、前記修正放送番組タイトルから、前記特定の文字を除外すること
を特徴とする請求項１又は２に記載の番組予約装置。
【請求項４】
前記記憶部は、特定の文字列を示す修正ルール適用文字列情報をさらに記憶し、
前記修正部は、
前記予約番組情報に含まれている番組タイトルに、前記特定の文字列が含まれている場合に、前記修正予約番組タイトルを生成し、
前記番組情報に含まれている番組タイトルに、前記特定の文字列が含まれている場合に、前記修正放送番組タイトルを生成すること
を特徴とする請求項１から３の何れか一項に記載の番組予約装置。
【請求項５】
前記全体制御部は、前記番組情報の内、前記予約番組情報に含まれている放送チャンネルと同じ放送チャンネルにおいて放送され、かつ、前記予約番組情報に含まれている放送日時で示される放送開始時間を含む所定の時間帯に放送が開始される番組を対象に、前記構造判定部、前記修正部及び前記類似度判定部に処理を行わせること
を特徴とする請求項１から４の何れか一項に記載の番組予約装置。
【請求項６】
前記全体制御部は、前記放送される番組の内、前記番組類似指数で示される一致度合いが予め定められた閾値で示される一致度合い以上で、かつ、前記番組類似指数で示される一致度合いが最も高い番組を、前記予約された番組と一致する番組として特定すること
を特徴とする請求項１から５の何れか一項に記載の番組予約装置。
【請求項７】
前記類似度判定部は、前記修正予約番組タイトルに含まれる文字と、前記修正放送番組タイトルに含まれる文字との一致数が多いほど高い値となるように、前記番組類似指数を算出すること
を特徴とする請求項１から６の何れか一項に記載の番組予約装置。
【請求項８】
前記予約番組情報は、前記予約された番組のジャンルを示すジャンル情報をさらに含み、
前記番組情報は、前記放送される番組のジャンルを示すジャンル情報をさらに含み、
前記類似度判定部は、
前記修正予約番組タイトルに含まれる文字と、前記修正放送番組タイトルに含まれる文字との一致数が多いほど高い値となる番組タイトル類似指数と、
前記予約番組情報で示されるジャンル情報で特定されるジャンルと、前記番組情報に含まれるジャンル情報で特定されるジャンルとの一致数が多いほど高い値となるジャンル類似指数と、
前記予約番組情報で示される放送日時で特定される放送開始時間と、前記番組情報に含まれる放送日時で特定される放送開始時間との乖離量が小さいほど高い値となる時間類似指数と、
を加算することにより、前記番組類似指数を算出すること
を特徴とする請求項１から６の何れか一項に記載の番組予約装置。
【請求項９】
前記記憶部は、前記有効文字適用ルール毎に、前記番組タイトル類似指数に重み付けを行う番組タイトル重み付け係数と、前記ジャンル類似指数に重み付けを行うジャンル重み付け係数と、前記時間類似指数に重み付けを行う時間重み付け係数と、を示す重み付け係数情報を記憶しており、
前記類似度判定部は、
前記重み付け係数情報を参照して、前記番組情報に対応して特定された有効文字適用ルールに対応する番組タイトル重み付け係数、ジャンル重み付け係数及び時間重み付け係数を特定する処理をさらに行い、
前記特定された番組タイトル重み付け係数を前記番組タイトル類似指数に乗算した値と、前記特定されたジャンル重み付け係数を前記ジャンル類似指数に乗算した値と、前記特定された時間重み付け係数を前記時間類似指数に乗算した値と、を加算することにより、前記番組類似指数を算出すること
を特徴とする請求項８に記載の番組予約装置。
【請求項１０】
新たな修正ルールを取得して、前記記憶部に記憶されている修正ルールを、当該新たな修正ルールに更新する修正ルール設定部をさらに備えること
を特徴とする請求項１から９の何れか一項に記載の番組予約装置。
【請求項１１】
デジタル放送波を受信して、当該デジタル放送波からストリームを生成する放送受信過程と、
前記ストリームから、放送される番組の番組タイトル、放送日時及び放送チャンネルを含む番組情報を取得する番組情報取得過程と、
予約された番組の番組タイトル、放送日時及び放送チャンネルを含む予約番組情報に含まれている番組タイトル及び前記番組情報に含まれている番組タイトルのそれぞれにおいて、区間を示す予め定められた記号の配置位置を示す番組構造種別を特定する構造判定過程と、
放送時間と放送チャンネルとの組み合わせ毎に、有効文字適用ルールを示す適用ルール情報を参照して、前記予約番組情報に含まれている放送日時により示される放送時間と、前記予約番組情報に含まれている放送チャンネルとの組み合わせ、及び、前記番組情報に含まれている放送日時により示される放送時間と、前記番組情報に含まれている放送チャンネルとの組み合わせのそれぞれに対応する有効文字適用ルールを特定する処理、
前記番組構造種別と、前記有効文字適用ルールとの組み合わせ毎に、番組タイトルにおいて、有効な文字が配置されている位置である有効文字位置を示す有効文字判定情報を参照して、前記予約番組情報に含まれている番組タイトルの番組構造種別と、前記予約番組情報に対応して特定された有効文字適用ルールとの組み合わせ、並びに、前記番組情報に含まれている番組タイトルの番組構造種別と、前記番組情報に対応して特定された有効文字適用ルールとの組み合わせのそれぞれに対応する有効文字位置を特定する処理、並びに、
前記予約番組情報で示される番組タイトルに含まれている文字から、前記予約番組情報に対応して特定された有効文字位置以外の文字を除外して、修正予約番組タイトルを生成するとともに、前記番組情報で示される番組タイトルに含まれている文字から、前記番組情報に対応して特定された有効文字位置以外の文字を除外して、修正放送番組タイトルを生成する処理、を行う修正過程と、
前記修正予約番組タイトルと、前記修正放送番組タイトルとの比較結果により、前記予約された番組と、前記放送される番組との一致度合いが高いほど高い値を示す番組類似指数を算出する類似度判定過程と、
前記放送される番組の内、前記番組類似指数が最も高い番組を、前記予約された番組と一致する番組として特定する全体制御過程と、
前記予約された番組と一致する番組のストリームに対して予め定められた処理を行うストリーム処理過程と、を備えること
を特徴とする番組処理方法。
【請求項１２】
前記有効文字判定情報は、前記番組構造種別と、前記有効文字適用ルールとの組み合わせ毎に、番組タイトルの内、前記区間に対応する位置及び前記区間以外の位置の少なくとも何れか一方を有効文字位置とするものであること
を特徴とする請求項１１に記載の番組処理方法。
【請求項１３】
前記修正過程は、
前記修正予約番組タイトルに、特定の文字を示す除外文字情報で示される特定の文字が含まれている場合には、前記修正予約番組タイトルから、前記特定の文字を除外し、
前記修正放送番組タイトルに前記特定の文字が含まれている場合には、前記修正放送番組タイトルから、前記特定の文字を除外すること
を特徴とする請求項１１又は１２に記載の番組処理方法。
【請求項１４】
前記修正過程は、
前記予約番組情報に含まれている番組タイトルに、特定の文字列を示す修正ルール適用文字列情報で示される特定の文字列が含まれている場合に、前記修正予約番組タイトルを生成し、
前記番組情報に含まれている番組タイトルに、前記特定の文字列が含まれている場合に、前記修正放送番組タイトルを生成すること
を特徴とする請求項１１から１３の何れか一項に記載の番組処理方法。
【請求項１５】
前記構造判定過程、前記修正過程及び前記類似度判定過程は、前記番組情報の内、前記予約番組情報に含まれている放送チャンネルと同じ放送チャンネルにおいて放送され、かつ、前記予約番組情報に含まれている放送日時で示される放送開始時間を含む所定の時間帯に放送が開始される番組を対象にして処理を行う過程であること
を特徴とする請求項１１から１４の何れか一項に記載の番組処理方法。
【請求項１６】
前記全体制御過程は、前記放送される番組の内、前記番組類似指数で示される一致度合いが予め定められた閾値で示される一致度合い以上で、かつ、前記番組類似指数で示される一致度合いが最も高い番組を、前記予約された番組と一致する番組として特定すること
を特徴とする請求項１１から１５の何れか一項に記載の番組処理方法。
【請求項１７】
前記類似度判定過程は、前記修正予約番組タイトルに含まれる文字と、前記修正放送番組タイトルに含まれる文字との一致数が多いほど高い値となるように、前記番組類似指数を算出すること
を特徴とする請求項１１から１６の何れか一項に記載の番組処理方法。
【請求項１８】
前記予約番組情報は、前記予約された番組のジャンルを示すジャンル情報をさらに含み、
前記番組情報は、前記放送される番組のジャンルを示すジャンル情報をさらに含み、
前記類似度判定過程は、
前記修正予約番組タイトルに含まれる文字と、前記修正放送番組タイトルに含まれる文字との一致数が多いほど高い値となる番組タイトル類似指数と、
前記予約番組情報で示されるジャンル情報で特定されるジャンルと、前記番組情報に含まれるジャンル情報で特定されるジャンルとの一致数が多いほど高い値となるジャンル類似指数と、
前記予約番組情報で示される放送日時で特定される放送開始時間と、前記番組情報に含まれる放送日時で特定される放送開始時間との乖離量が小さいほど高い値となる時間類似指数と、
を加算することにより、前記番組類似指数を算出すること
を特徴とする請求項１１から１６の何れか一項に記載の番組処理方法。
【請求項１９】
前記類似度判定過程は、
前記有効文字適用ルール毎に、前記番組タイトル類似指数に重み付けを行う番組タイトル重み付け係数と、前記ジャンル類似指数に重み付けを行うジャンル重み付け係数と、前記時間類似指数に重み付けを行う時間重み付け係数と、を示す重み付け係数情報を参照して、前記番組情報に対応して特定された有効文字適用ルールに対応する番組タイトル重み付け係数、ジャンル重み付け係数及び時間重み付け係数を特定する処理をさらに行い、
前記特定された番組タイトル重み付け係数を前記番組タイトル類似指数に乗算した値と、前記特定されたジャンル重み付け係数を前記ジャンル類似指数に乗算した値と、前記特定された時間重み付け係数を前記時間類似指数に乗算した値と、を加算することにより、前記番組類似指数を算出すること
を特徴とする請求項１８に記載の番組処理方法。
【請求項２０】
前記適用ルール情報及び前記有効文字判定情報を含む修正ルールに対して、新たな修正ルールを取得して、当該修正ルールを、当該新たな修正ルールに更新する修正ルール設定過程をさらに備えること
を特徴とする請求項１１から１９の何れか一項に記載の番組処理方法。